(57)【特許請求の範囲】
【請求項１】
下に位置する運搬用容器と上に位置する運搬用容器とが、積み重ねられた際に、下に位置する運搬用容器のフランジ上に、上に位置する運搬用容器の支脚が載置されてスタッキングされ、また、スタッキング状態から、上に位置する運搬用容器を、平面的に、１８０度回転させることにより、上に位置する運搬用容器の支脚が、下に位置する運搬用容器のポケットに挿入されて、上に位置する運搬用容器が、下に位置する運搬用容器にネスティングされるように構成された運搬用容器において、額縁状の周枠と区画辺部とにより囲まれた、物品が嵌合される複数の空間部を有する中仕切り部材が、運搬用容器に収容された際には、中仕切り部材の周枠の相対する辺部に突設された突片が、運搬用容器に形成されたポケットの底面に載置されて、中仕切り部材が、運搬用容器の中程に配置されるように構成されており、また、中仕切り部材が、運搬用容器の中程に配置された状態から、中仕切り部材を、平面的に、１８０度回転させることにより、中仕切り部材の周枠の相対する辺部に突設された突片が、運搬用容器に形成された突片収容ポケットに挿入されて、中仕切り部材が、運搬用容器の底部に近接するように配置され、運搬用容器がネスティングされた際に、運搬用容器の底部に近接するように配置された中仕切り部材が、ネスティングの阻止とならないように構成されていることを特徴とする運搬用容器。
【請求項２】
下に位置する運搬用容器と上に位置する運搬用容器とが、積み重ねられた際に、下に位置する運搬用容器のフランジ上に、上に位置する運搬用容器の支脚が載置されてスタッキングされ、また、スタッキング状態から、上に位置する運搬用容器を、平面的に、１８０度回転させることにより、上に位置する運搬用容器の支脚が、下に位置する運搬用容器のポケットに挿入されて、上に位置する運搬用容器が、下に位置する運搬用容器にネスティングされるように構成された運搬用容器において、額縁状の周枠と区画辺部とにより囲まれた、物品が嵌合される複数の空間部を有する中仕切り部材が、運搬用容器に収容された際には、運搬用容器の相対する側壁に形成された載置条片の上端に、中仕切り部材が載置されて、中仕切り部材が、運搬用容器の中程に配置されるように構成されており、また、中仕切り部材が、運搬用容器の中程に配置された状態から、中仕切り部材を、平面的に、１８０度回転させることにより、運搬用容器の相対する側壁に形成された載置条片が、中仕切り部材に形成された載置条片収容切欠き部に挿入されて、中仕切り部材が、運搬用容器の底部に近接するように配置され、運搬用容器がネスティングされた際に、運搬用容器の底部に近接するように配置された中仕切り部材が、ネスティングの阻止とならないように構成されていることを特徴とする運搬用容器。
【発明の詳細な説明】
【技術分野】
【０００１】
本発明は、中仕切り部材が配設可能な運搬用容器に関するものである。
【背景技術】
【０００２】
従来、運搬用容器の中程に、水平状に、中仕切り部材としてのトレーが配設された運搬用容器が、一例として、特許文献１に開示されている。
【先行技術文献】
【特許文献】
【０００３】
【特許文献１】実開平４−６２６２６号公報
【発明の開示】
【発明が解決しようとする課題】
【０００４】
上述した従来の運搬用容器においては、トレーの使用時におけるトレーの高さを、高い位置と低い位置に設定できるようにしたものであり、トレーを使用しない場合におけるトレーの収容をどのようにするかについては、何ら開示されていない。
【０００５】
また、ネスティング或いはスタッキング可能な運搬用容器の場合には、運搬用容器のネスティング時には、下に位置する運搬用容器に配設された中仕切り部材が、上に位置する運搬用容器の底部に当接し、ネスティングの障害になるといる問題があった。従って、ネスティングの際には、中仕切り部材を、運搬用容器から取り外さなければならず、従って、中仕切り部材を、運搬用容器とは別に保管管理しなければならないという問題があった。
【０００６】
本発明の目的は、上述した従来の発明が有する課題を解決することにある。
【課題を解決するための手段】
【０００７】
本発明は、上述した目的を達成するために、第１には、下に位置する運搬用容器と上に位置する運搬用容器とが、積み重ねられた際に、下に位置する運搬用容器のフランジ上に、上に位置する運搬用容器の支脚が載置されてスタッキングされ、また、スタッキング状態から、上に位置する運搬用容器を、平面的に、１８０度回転させることにより、上に位置する運搬用容器の支脚が、下に位置する運搬用容器のポケットに挿入されて、上に位置する運搬用容器が、下に位置する運搬用容器にネスティングされるように構成された運搬用容器において、額縁状の周枠と区画辺部とにより囲まれた、物品が嵌合される複数の空間部を有する中仕切り部材が、運搬用容器に収容された際には、中仕切り部材の周枠の相対する辺部に突設された突片が、運搬用容器に形成されたポケットの底面に載置されて、中仕切り部材が、運搬用容器の中程に配置されるように構成されており、また、中仕切り部材が、運搬用容器の中程に配置された状態から、中仕切り部材を、平面的に、１８０度回転させることにより、中仕切り部材の周枠の相対する辺部に突設された突片が、運搬用容器に形成された突片収容ポケットに挿入されて、中仕切り部材が、運搬用容器の底部に近接するように配置され、運搬用容器がネスティングされた際に、運搬用容器の底部に近接するように配置された中仕切り部材が、ネスティングの阻止とならないように構成したものであり、第２には、下に位置する運搬用容器と上に位置する運搬用容器とが、積み重ねられた際に、下に位置する運搬用容器のフランジ上に、上に位置する運搬用容器の支脚が載置されてスタッキングされ、また、スタッキング状態から、上に位置する運搬用容器を、平面的に、１８０度回転させることにより、上に位置する運搬用容器の支脚が、下に位置する運搬用容器のポケットに挿入されて、上に位置する運搬用容器が、下に位置する運搬用容器にネスティングされるように構成された運搬用容器において、額縁状の周枠と区画辺部とにより囲まれた、物品が嵌合される複数の空間部を有する中仕切り部材が、運搬用容器に収容された際には、運搬用容器の相対する側壁に形成された載置条片の上端に、中仕切り部材が載置されて、中仕切り部材が、運搬用容器の中程に配置されるように構成されており、また、中仕切り部材が、運搬用容器の中程に配置された状態から、中仕切り部材を、平面的に、１８０度回転させることにより、運搬用容器の相対する側壁に形成された載置条片が、中仕切り部材に形成された載置条片収容切欠き部に挿入されて、中仕切り部材が、運搬用容器の底部に近接するように配置され、運搬用容器がネスティングされた際に、運搬用容器の底部に近接するように配置された中仕切り部材が、ネスティングの阻止とならないように構成したものである。
【発明の効果】
【０００８】
本発明は、以上説明したような構成を有するので、以下に記載する効果を奏するものである。
【０００９】
中仕切り部材が、運搬用容器の中程に位置する中仕切り部材の配設状態から、中仕切り部材を、平面的に、１８０度回転させることにより、中仕切り部材が、運搬用容器の底部に近接する収容状態となるように構成したので、中仕切り部材を、そのまま、運搬用容器内に収納することができる。
【００１０】
ネスティング或いはスタッキング可能な運搬用容器のポケットの底面に、中仕切り部材に形成された突片を載置することにより、中仕切り部材が配設状態となるように構成するとともに、中仕切り部材を、平面的に、１８０度回転させることにより、突片が、運搬用容器に形成された突片収容ポケットに挿入され、中仕切り部材が、運搬用容器の底部に近接する収容状態となるように構成したので、運搬用容器をネスティングした際に、下に位置する運搬用容器に配設された中仕切り部材が、上に位置する運搬用容器の底部に当接し、ネスティングの障害になるようなことを防止することができる。
【００１１】
ネスティング或いはスタッキング可能な運搬用容器の側壁に、垂直状の載置条片を形成するとともに、中仕切り部材を、載置条片の上端に載置することにより、中仕切り部材が配設状態となるように構成するとともに、中仕切り部材を、平面的に、１８０度回転させることにより、載置条片が、中仕切り部材に形成された載置条片収容切欠き部に挿入され、中仕切り部材が、運搬用容器の底部に近接する収容状態となるように構成したので、運搬用容器をネスティングした際に、下に位置する運搬用容器に配設された中仕切り部材が、上に位置する運搬用容器の底部に当接し、ネスティングの障害になるようなことを防止することができる。
【００１２】
ボックス型の運搬用容器の側壁に形成された突片載置ポケットの底面に、中仕切り部材に形成された突片を載置することにより、中仕切り部材が配設状態となるように構成するとともに、中仕切り部材を、平面的に、１８０度回転させることにより、突片が、運搬用容器に形成された突片収容ポケットに挿入され、中仕切り部材が、運搬用容器の底部に近接する収容状態となるように構成したので、中仕切り部材の運搬用容器への収容状態において、複数の中仕切り部材を、ボックス型の運搬用容器内に収納することができ、従って、中仕切り部材の保管管理が容易となる。
【００１３】
ボックス型の運搬用容器の側壁に形成された載置条片に、中仕切り部材を載置することにより、前記中仕切り部材が配設状態となるように構成するとともに、前記中仕切り部材を、平面的に、１８０度回転させることにより、前記載置条片が、前記中仕切り部材に形成された載置条片収容切欠き部に挿入され、前記中仕切り部材が、運搬用容器の底部に近接する収容状態となるように構成したので、中仕切り部材の運搬用容器への収容状態において、複数の中仕切り部材を、ボックス型の運搬用容器内に収納することができ、従って、中仕切り部材の保管管理が容易となる。
【図面の簡単な説明】
【００１４】
【図１】図１は、本発明の運搬用容器の斜視図である。
【図２】図２は、図１に示されている運搬用容器に配設される中仕切り部材の斜視図である。
【図３】図３は、図１に示されている運搬用容器と図２に示されている中仕切り部材の分解斜視図である。
【図４】図４は、図１に示されている運搬用容器と図２に示されている中仕切り部材との配設状態の斜視図である。
【図５】図５は、図１に示されている運搬用容器と図２に示されている中仕切り部材の分解斜視図である。
【図６】図６は、図１に示されている運搬用容器と図２に示されている中仕切り部材との収容状態の斜視図である。
【図７】図７は、本発明の運搬用容器の別の実施例の斜視図である。
【図８】図８は、図７に示されている運搬用容器に配設される中仕切り部材の斜視図である。
【図９】図９は、図７に示されている運搬用容器と図８に示されている中仕切り部材との配設状態の斜視図である。
【図１０】図１０は、図７に示されている運搬用容器と図８に示されている中仕切り部材との収容状態の斜視図である。
【図１１】図１１は、本発明の運搬用容器の更に別の実施例の斜視図である。
【図１２】図１２は、図１１に示されている運搬用容器に配設される中仕切り部材の斜視図である。
【図１３】図１３は、図１１に示されている運搬用容器と図１２に示されている中仕切り部材との配設状態の斜視図である。
【図１４】図１４は、図１１に示されている運搬用容器と図１２に示されている中仕切り部材との収容状態の斜視図である。
【図１５】図１５は、本発明の運搬用容器のなお更に別の実施例の斜視図である。
【図１６】図１６は、図１５に示されている運搬用容器に配設される中仕切り部材の斜視図である。
【図１７】図１７は、図１５に示されている運搬用容器と図１６に示されている中仕切り部材との配設状態の斜視図である。
【図１８】図１８は、図１５に示されている運搬用容器と図１６に示されている中仕切り部材との収容状態の斜視図である。
【実施例】
【００１５】
以下に、本発明の実施例について説明するが、本発明の趣旨を越えない限り何ら、本実施例に限定されるものではない。
【００１６】
先ず最初に、図１を用いて、公知のネスティング或いはスタッキング可能な運搬用容器について説明する。
【００１７】
運搬用容器Ｃ１は、底部１と相対する長側壁２と相対する短側壁３とから構成されており、運搬用容器Ｃ１には、運搬用容器Ｃ１の開口部を取り囲むように、長側壁２及び短側壁３の上端から外側水平方向に延在するフランジ４が形成されている。
【００１８】
ｐ１は、フランジ４から底部１に向かって、相対する長側壁２の一方の隅部寄りの内壁に形成された縦長の凹部からなる幅狭のポケットであり、運搬用容器Ｃ１の略半分の深さを有している。ｃ１は、ポケットｐ１と適当な間隙を置いて或いはポケットｐ１に隣接して、ポケットｐ１より、運搬用容器Ｃ１の中央部寄りの長側壁２の外壁に形成された支脚であり、支脚ｃ１は、中間水平リブ５から底部１付近まで延在するように形成されている。上記のポケットｐ１の内幅は、上記の支脚ｃ１の外幅より狭く形成されている。以下、このような、幅狭のポケットｐ１と幅広の支脚ｃ１との組み合わせを幅狭ポケット・幅広支脚部Ｓ１と称する。
【００１９】
ｃ２は、長側壁２のもう一方の隅部寄りの外壁に形成された、上述した支脚ｃ１より、幅狭の支脚であり、支脚ｃ２は、中間水平リブ５から底部１付近まで延在するように形成されている。ｐ２は、支脚ｃ２と適当な間隙を置いて或いは支脚ｃ２に隣接して、支脚ｃ２より、運搬用容器Ｃ１の中央部寄りの長側壁２の内壁に形成された縦長の凹部からなるポケットであり、運搬用容器Ｃ１の略半分の深さを有している。上記ポケットｐ２は、幅狭ポケット・幅広支脚部Ｓ１のポケットｐ１の内幅より広い内幅を有しており、支脚ｃ２の外幅は、幅狭ポケット・幅広支脚部Ｓ１の支脚ｃ１の外幅より狭く形成されている。以下、このような、幅狭の支脚ｃ２と幅広のポケットｐ２との組み合わせを幅狭支脚・幅広ポケット部Ｓ２と称する。
【００２０】
幅狭ポケット・幅広支脚部Ｓ１の幅広の支脚ｃ１の外幅は、幅狭支脚・幅広ポケット部Ｓ２の幅広のポケットｐ２の内幅より狭く形成されており、従って、ネスティングの際には、幅狭ポケット・幅広支脚部Ｓ１の幅広の支脚ｃ１が、幅狭支脚・幅広ポケット部Ｓ２の幅広のポケットｐ２に挿入できるように構成されている。また、幅狭支脚・幅広ポケット部Ｓ２の幅狭の支脚ｃ２の外幅は、幅狭ポケット・幅広支脚部Ｓ１の幅狭ポケットｐ１の内幅より狭く形成されており、従って、ネスティングの際には、幅狭支脚・幅広ポケット部Ｓ２の幅狭の支脚ｃ２が、幅狭ポケット・幅広支脚部Ｓ１の幅狭のポケットｐ１に挿入できるように構成されている。
【００２１】
上述した幅狭ポケット・幅広支脚部Ｓ１は、相対する長側壁２の一方の隅部付近に、互いに対向して配置されており、また、相対する長側壁２のもう一方の隅部付近には、互いに対向するように、幅狭支脚・幅広ポケット部Ｓ２が配置されている。
【００２２】
下に位置する運搬用容器Ｃ１と上に位置する運搬用容器Ｃ１とが、同じ向きになるように、即ち、下に位置する運搬用容器Ｃ１の幅狭ポケット・幅広支脚部Ｓ１の上方に、上に位置する運搬用容器Ｃ１の幅狭ポケット・幅広支脚部Ｓ１が位置し、また、下に位置する運搬用容器Ｃ１の幅狭支脚・幅広ポケット部Ｓ２の上方に、上に位置する運搬用容器Ｃ１の幅狭支脚・幅広ポケット部Ｓ２が位置するように、運搬用容器Ｃ１を積み重ねると、上に位置する運搬用容器Ｃ１の幅狭ポケット・幅広支脚部Ｓ１を構成する幅広の支脚ｃ１及び幅狭支脚・幅広ポケット部Ｓ２を構成する幅狭の支脚ｃ２が、下に位置する運搬用容器Ｃ１のフランジ４に載置され、下に位置する運搬用容器Ｃ１の上に、上に位置する運搬用容器Ｃ１がスタッキングされることになる。
【００２３】
また、上述したスタッキング状態から、上に位置する運搬用容器Ｃ１を、平面的に、１８０度回転させて、下に位置する運搬用容器Ｃ１と上に位置する運搬用容器Ｃ１とが、異なる向きになるように、即ち、下に位置する運搬用容器Ｃ１の幅狭ポケット・幅広支脚部Ｓ１の上方に、上に位置する運搬用容器Ｃ１の幅狭支脚・幅広ポケット部Ｓ２が位置し、また、下に位置する運搬用容器Ｃ１の幅狭支脚・幅広ポケット部Ｓ２の上方に、上に位置する運搬用容器Ｃ１の幅狭ポケット・幅広支脚部Ｓ１が位置するように配置すると、下に位置する運搬用容器Ｃ１の幅狭ポケット・幅広支脚部Ｓ１の幅狭のポケットｐ１に、上に位置する運搬用容器Ｃ１の幅狭支脚・幅広ポケット部Ｓ２の幅狭の支脚ｃ２が、また、下に位置する運搬用容器Ｃ１の幅狭支脚・幅広ポケット部Ｓ２の幅広のポケットｐ２に、上に位置する運搬用容器Ｃ１の幅狭ポケット・幅広支脚部Ｓ１の幅広の支脚ｃ１が、それぞれ挿入されることになり、従って、上に位置する運搬用容器Ｃ１の略半分が、下に位置する運搬用容器Ｃ１の内部に嵌め込まれてネスティングされることになる。
【００２４】
なお、上述した、長側壁２に配設された幅狭ポケット・幅広支脚部Ｓ１及び幅狭支脚・幅広ポケット部Ｓ２の配置は、上述した配置に限定されるものではなく、下に位置する運搬用容器Ｃ１と上に位置する運搬用容器Ｃ１とが、同じ向きに積み重ねられた際には、下に位置する運搬用容器Ｃ１の開口部に形成されたフランジ４上に、上に位置する運搬用容器Ｃ１の支脚ｃ１、ｃ２が載置されて、上に位置する運搬用容器Ｃ１が、下に位置する運搬用容器Ｃ１に嵌め込まれないように積み重ねられる、所謂、スタッキングされ、また、スタッキング状態から、上に位置する運搬用容器Ｃ１を、平面的に、１８０度回転させることにより、上に位置する運搬用容器Ｃ１の支脚ｃ１、ｃ２が、下に位置する運搬用容器Ｃ１のポケットｐ１、ｐ２に挿入されて、上に位置する運搬用容器Ｃ１が、下に位置する運搬用容器Ｃ１に嵌め込まれる、所謂、ネスティングされるような配置であればどのような配置でもよい。更に、短側壁３に、ポケット・支脚部を形成することもできる。なお更に、下に位置する運搬用容器Ｃ１と上に位置する運搬用容器Ｃ１とが、同じ向きに配置された場合に、ネスティングとなり、異なる向きに配置された場合に、スタッキングとなるように構成することもできる。このような、スタッキング或いはネスティング可能な運搬用容器は、周知であるので、その詳細な説明は省略する。
【００２５】
Ｈ１は、幅狭ポケット・幅広支脚部Ｓ１の幅狭のポケットｐ１の運搬用容器Ｃ１の中央部寄りの相対する長側壁２の内壁に形成された、上述したポケットｐ１、ｐ２と同様の縦長の幅広突片収容ポケットであり、幅広突片収容ポケットＨ１の底面ｈ１は、幅狭ポケット・幅広支脚部Ｓ１の幅狭のポケットｐ１の底面ｐ１ａより、下方に位置するように構成されており、且つ、幅広突片収容ポケットＨ１の底面ｈ１と幅狭ポケット・幅広支脚部Ｓ１の幅狭のポケットｐ１の底面ｐ１ａとの高さの差は、後述する中仕切り部材の厚さと同じか、若干、大きくなるように構成されている。なお、幅広突片収容ポケットＨ１の底面ｈ１を、運搬用容器Ｃ１の底部１まで延在するように構成することもできる。
【００２６】
Ｈ２は、幅狭支脚・幅広ポケット部Ｓ２の幅広のポケットｐ２の運搬用容器Ｃ１の短側壁寄りの相対する長側壁２の内壁に形成された、上述したポケットｐ１、ｐ２と同様の縦長の幅狭突片収容ポケットであり、幅狭突片収容ポケットＨ２の底面ｈ２は、幅狭支脚・幅広ポケット部Ｓ２の幅広のポケットｐ２の底面ｐ２ａより、下方に位置するように構成されており、且つ、幅狭突片収容ポケットＨ２の底面ｈ２と幅狭支脚・幅広ポケット部Ｓ２の幅広のポケットｐ２の底面ｐ２ａとの高さの差は、後述する中仕切り部材の厚さと同じか、若干、大きくなるように構成されている。なお、幅狭突片収容ポケットＨ２の底面ｈ２は、運搬用容器Ｃ１の底部１まで延在することもできる。
【００２７】
次に、主として、図２を用いて、上述した運搬用容器Ｃ１に、水平状に配設される中仕切り部材Ｎ１について説明する。
【００２８】
中仕切り部材Ｎ１は、額縁状の周枠ｎ１を有しており、額縁状の周枠ｎ１は、相対する長辺部ｎ１ａと相対する短辺部ｎ１ｂとを有している。また、相対する長辺部ｎ１ａは、短辺部ｎ１ｂと平行な区画短辺部ｎ２により連結されているとともに、相対する短辺部ｎ１ｂも、長辺部ｎ１ａと平行な区画長辺部ｎ３により連結されている。本実施例においては、区画短辺部ｎ２が、１本で、区画長辺部ｎ３が、２本の例が示されているが、区画短辺部ｎ２を、複数本、形成することもできるし、また、区画長辺部ｎ３も、適当数、形成することができる。
【００２９】
上述したように構成された中仕切り部材Ｎ１には、額縁状の周枠ｎ１と区画短辺部ｎ２と区画長辺部ｎ３とにより囲まれた、運搬用容器Ｃ１に収容される物品が嵌合される複数の空間部Ａ１が形成されることになる。
【００３０】
中仕切り部材Ｎ１の額縁状の周枠ｎ１を構成する相対する長辺部ｎ１ａの一方の短辺部ｎ１ｂ側付近には、幅広突片ｎ４が、長辺部ｎ１ａから外側に延在するように突設されている。幅広突片ｎ４は、運搬用容器Ｃ１に形成された幅狭支脚・幅広ポケット部Ｓ２の幅広のポケットｐ２に挿入されるように構成されているとともに、幅広のポケットｐ２の底面ｐ２ａに載置されるように構成されている。
【００３１】
また、中仕切り部材Ｎ１の額縁状の周枠ｎ１を構成する相対する長辺部ｎ１ａのもう一方の短辺部ｎ１ｂ側付近には、幅狭突片ｎ５が、長辺部ｎ１ａから外側に延在するように突設されている。幅狭突片ｎ５は、運搬用容器Ｃ１に形成された幅狭ポケット・幅広支脚部Ｓ１の幅狭のポケットｐ１に挿入されるように構成されているとともに、幅狭のポケットｐ１の底面ｐ１ａに載置されるように構成されている。
【００３２】
図３に示されているように、運搬用容器Ｃ１の幅狭ポケット・幅広支脚部Ｓ１の幅狭のポケットｐ１の真上に、中仕切り部材Ｎ１の額縁状の長辺部ｎ１ａに突設された幅狭突片ｎ５を配置するとともに、運搬用容器Ｃ１の幅狭支脚・幅広ポケット部Ｓ２の幅広のポケットｐ２の真上に、中仕切り部材Ｎ１の額縁状の長辺部ｎ１ａに突設された幅広突片ｎ４を配置し、その後、中仕切り部材Ｎ１を下降させると、図４に示されているように、中仕切り部材Ｎ１の額縁状の長辺部ｎ１ａに突設された幅狭突片ｎ５が、運搬用容器Ｃ１の幅狭ポケット・幅広支脚部Ｓ１の幅狭のポケットｐ１に挿入され、幅狭突片ｎ５が、幅狭のポケットｐ１の底面ｐ１ａに載置され、また、中仕切り部材Ｎ１の額縁状の長辺部ｎ１ａに突設された幅広突片ｎ４が、運搬用容器Ｃ１の幅狭支脚・幅広ポケット部Ｓ２の幅広のポケットｐ２に挿入され、幅広突片ｎ４が、幅広のポケットｐ２の底面ｐ２ａに載置され、中仕切り部材Ｎ１が、運搬用容器Ｃ１の中程に配置されるように構成されている。なお、この状態を、以下、中仕切り部材Ｎ１の配設状態という。
【００３３】
図４に示されている、中仕切り部材Ｎ１の配設状態から、中仕切り部材Ｎ１を上昇させて、中仕切り部材Ｎ１の額縁状の長辺部ｎ１ａに突設された幅狭突片ｎ５を、運搬用容器Ｃ１の幅狭ポケット・幅広支脚部Ｓ１の幅狭のポケットｐ１から排出するとともに、中仕切り部材Ｎ１の額縁状の長辺部ｎ１ａに突設された幅広突片ｎ４を、運搬用容器Ｃ１の幅狭支脚・幅広ポケット部Ｓ２の幅広のポケットｐ２から排出することにより、中仕切り部材Ｎ１を、運搬用容器Ｃ１から取り出す。
【００３４】
その後、中仕切り部材Ｎ１を、平面的に、１８０度回転させて、図５に示されているように、中仕切り部材Ｎ１の額縁状の長辺部ｎ１ａに突設された幅広突片ｎ４を、運搬用容器Ｃ１の相対する長側壁２に形成された幅広突片収容ポケットＨ１の真上に配置し、また、中仕切り部材Ｎ１の額縁状の長辺部ｎ１ａに突設された幅狭突片ｎ５を、運搬用容器Ｃ１の相対する長側壁２に形成された幅狭突片収容ポケットＨ２の真上に配置し、その後、中仕切り部材Ｎ１を下降させると、図６に示されているように、中仕切り部材Ｎ１の額縁状の長辺部ｎ１ａに突設された幅広突片ｎ４が、運搬用容器Ｃ１の相対する長側壁２に形成された幅広突片収容ポケットＨ１に挿入され、幅広突片ｎ４が、幅広突片収容ポケットＨ１の底面ｈ１に載置され、また、中仕切り部材Ｎ１の額縁状の長辺部ｎ１ａに突設された幅狭突片ｎ５が、運搬用容器Ｃ１の相対する長側壁２に形成された幅狭突片収容ポケットＨ２に挿入され、幅狭突片ｎ５が、幅狭突片収容ポケットＨ２の底面ｈ２に載置されるように構成されている。なお、この状態を、以下、中仕切り部材Ｎ１の収容状態という。
【００３５】
幅広突片収容ポケットＨ１の底面ｈ１が、幅狭ポケット・幅広支脚部Ｓ１の幅狭のポケットｐ１の底面ｐ１ａより、下方に位置するように構成されているとともに、幅広突片収容ポケットＨ１の底面ｈ１と幅狭ポケット・幅広支脚部Ｓ１の幅狭のポケットｐ１の底面ｐ１ａとの高さの差が、中仕切り部材Ｎ１の厚さＴと同じか、若干、大きくなるように構成されており、また、幅狭突片収容ポケットＨ２の底面ｈ２が、幅狭支脚・幅広ポケット部Ｓ２の幅広のポケットｐ２の底面ｐ２ａより、下方に位置するように構成されているとともに、幅狭突片収容ポケットＨ２の底面ｈ２と幅狭支脚・幅広ポケット部Ｓ２の幅広のポケットｐ２の底面ｐ２ａとの高さの差が、中仕切り部材Ｎ１の厚さＴと同じか、若干、大きくなるように構成されているので、中仕切り部材Ｎ１の収容状態において、下に位置する運搬用容器Ｃ１の幅狭ポケット・幅広支脚部Ｓ１の幅狭のポケットｐ１に、上に位置する運搬用容器Ｃ１の幅狭支脚・幅広ポケット部Ｓ２の幅狭の支脚ｃ２が挿入され、また、下に位置する運搬用容器Ｃ１の幅狭支脚・幅広ポケット部Ｓ２の幅広のポケットｐ２に、上に位置する運搬用容器Ｃ１の幅狭ポケット・幅広支脚部Ｓ１の幅広の支脚ｃ１が挿入され、上に位置する運搬用容器Ｃ１の略半分が、下に位置する運搬用容器Ｃ１に嵌め込まれ、ネスティングされても、運搬用容器Ｃ１内にある配設状態の中仕切り部材Ｎ１が、上に位置する運搬用容器Ｃ１の底部１に当接し、ネスティングが阻止されるようなことを防止することができる。
【００３６】
また、幅広突片収容ポケットＨ１は、長側壁２を、内側から外側に膨出することにより形成されることになるが、幅広突片収容ポケットＨ１は、幅狭ポケット・幅広支脚部Ｓ１を構成する幅広の支脚ｃ１が位置する長側壁２を、内側から外側に膨出するように構成し、また、幅狭突片収容ポケットＨ２も、幅狭支脚・幅広ポケット部Ｓ２を構成する幅狭の支脚ｃ２が位置する長側壁２を、内側から外側に膨出するように構成することが好ましい。このように構成することにより、不要な突出部が、長側壁２に形成されることを防止することができ、従って、運搬用容器Ｃ１の長側壁２へのシール貼着面積やカード差し取り付け面積が、減少するようなことを防止することができる。
【００３７】
更に、運搬用容器Ｃ１を、一方の短側壁３側の半分と、もう一方の短側壁３側の半分とを、色分けすることが好ましい。このように構成することにより、下に位置する運搬用容器Ｃ１の半分の色の上に、上に位置する運搬用容器Ｃ１の同じ色の半分を配置した場合には、運搬用容器Ｃ１がスタッキングされ、また、上に位置する運搬用容器Ｃ１を、平面的に、１８０度回転させて、下に位置する運搬用容器Ｃ１の半分の色の上に、上に位置する運搬用容器Ｃ１の異なる色の半分を配置した場合には、運搬用容器Ｃ１がネスティングされることになり、視覚的に、容易に、運搬用容器Ｃ１のスタッキング或いはネスティングを、選択することができる。
【００３８】
また、中仕切り部材Ｎ１を、一方の短辺部ｎ１ｂ側の半分と、もう一方の短辺部ｎ１ｂ側の半分とを、色分けすることが好ましい。例えば、図２に示されているように、運搬用容器Ｃ１の一方の短側壁３側の半分の色と、中仕切り部材Ｎ１の一方の短辺部ｎ１ｂ側の半分の色とが同じ色となるように配置した場合には、中仕切り部材Ｎ１が配設状態となるように構成し、また、運搬用容器Ｃ１の一方の短側壁３側の半分の色と、中仕切り部材Ｎ１の一方の短辺部ｎ１ｂ側の半分の色とが異なる色となるように配置した場合には、中仕切り部材Ｎ１が収容状態となるように構成することが好ましい。このように構成することにより、視覚的に、容易に、中仕切り部材Ｎ１の配設状態或いは収容状態を、選択することができる。
【００３９】
次に、図７〜図１０を用いて、本発明の別の実施例について説明する。
【００４０】
図７に示されている運搬用容器Ｃ２は、上述した運搬用容器Ｃ１に形成された幅広突片収容ポケットＨ１及び幅狭突片収容ポケットＨ２に代えて、相対する長側壁２の内壁に、所定の間隔を置いて、それぞれ、垂直状の載置条片Ｈ３、Ｈ４を突設したものである。
【００４１】
一方の垂直状の載置条片Ｈ３は、幅狭ポケット・幅広支脚部Ｓ１を構成する幅狭のポケットｐ１に接近して、且つ、長側壁２の中央部寄りに形成されている。また、載置条片Ｈ３の上端ｈ３は、幅狭ポケット・幅広支脚部Ｓ１の幅狭のポケットｐ１の底面ｐ１ａより低くなるように構成されており、且つ、載置条片Ｈ３の上端ｈ３と幅狭ポケット・幅広支脚部Ｓ１の幅狭のポケットｐ１の底面ｐ１ａとの高さの差は、後述する中仕切り部材の厚さと同じか、若干、大きくなるように構成されている。以下、この載置条片Ｈ３を、幅狭ポケット・幅広支脚部Ｓ１側載置条片Ｈ３と称する。
【００４２】
また、もう一方の垂直状の載置条片Ｈ４は、幅狭支脚・幅広ポケット部Ｓ２を構成する幅広のポケットｐ２と、該幅狭支脚・幅広ポケット部Ｓ２側の短側壁３の間に位置するように形成されており、且つ、載置条片Ｈ４の上端ｈ４は、幅狭支脚・幅広ポケット部Ｓ２の幅広のポケットｐ２の底面ｐ２ａより低くなるように構成されており、且つ、載置条片Ｈ４の上端ｈ４と幅狭支脚・幅広ポケット部Ｓ２の幅広のポケットｐ２の底面ｐ２ａとの高さの差は、後述する中仕切り部材の厚さと同じか、若干、大きくなるように構成されている。以下、この載置条片Ｈ４を、幅狭支脚・幅広ポケット部Ｓ２側載置条片Ｈ４と称する。
【００４３】
上述した運搬用容器Ｃ２に配置或いは収容される中仕切り部材Ｎ２は、上述した実施例における中仕切り部材Ｎ１に突設された幅広突片ｎ４及び幅狭突片ｎ５に代えて、中仕切り部材Ｎ２の額縁状の周枠ｎ１を構成する相対する長辺部ｎ１ａの両端部付近に、それぞれ、載置条片収容切欠き部ｎ６、ｎ７を形成したものである。
【００４４】
中仕切り部材Ｎ２の配設状態においては、図９に示されているように、中仕切り部材Ｎ２の額縁状の周枠ｎ１を構成する相対する長辺部ｎ１ａが、幅狭ポケット・幅広支脚部Ｓ１側載置条片Ｈ３の上端ｈ３及び幅狭支脚・幅広ポケット部Ｓ２側載置条片Ｈ４の上端ｈ４に載置されるように構成されている。
【００４５】
また、上述した中仕切り部材Ｎ２の配設状態から、中仕切り部材Ｎ２を上昇させて、中仕切り部材Ｎ２を、運搬用容器Ｃ２から取り出し、その後、中仕切り部材Ｎ２を、平面的に、１８０度回転させて、中仕切り部材Ｎ２を下降させると、図１０に示されているように、幅狭ポケット・幅広支脚部Ｓ１側載置条片Ｈ３が、載置条片収容切欠き部ｎ６に挿入され、また、幅狭支脚・幅広ポケット部Ｓ２側載置条片Ｈ４が、載置条片収容切欠き部ｎ７に挿入されて、中仕切り部材Ｎ２が、収容状態となるように構成されている。
【００４６】
次に、図１１〜図１４を用いて、本発明の更に別の実施例について説明するが、この実施例における運搬用容器Ｃ３は、上述した実施例における運搬用容器Ｃ１、Ｃ２のように、スタッキング或いはネスティング可能な運搬用容器ではなく、スタッキング或いはネスティングができない、所謂、ボックス型の運搬用容器Ｃ３に関するものである。
【００４７】
この実施例においては、長側壁２の外壁には、上述した支脚ｃ１、ｃ２は形成されていない。また、中仕切り部材Ｎ３は、区画長辺部ｎ３が、一本少ない以外は、上述した構成における中仕切り部材Ｎ１と略同じであるので、同じ符号が使用されている。
【００４８】
ｐ１’は、フランジ４から底部１に向かって、相対する長側壁２の一方の隅部寄りの内壁に形成された縦長の凹部からなる幅狭突片載置ポケットであり、運搬用容器Ｃ３の略半分の深さを有している。また、ｐ２’は、フランジ４から底部１に向かって、相対する長側壁２のもう一方の隅部寄りの内壁に形成された縦長の凹部からなる幅広突片載置ポケットであり、運搬用容器Ｃ３の略半分の深さを有している。
【００４９】
また、Ｈ５は、幅狭突片載置ポケットｐ１’の運搬用容器Ｃ３の中央部寄りの相対する長側壁２の内壁に形成された、縦長の幅広突片収容ポケットであり、幅広突片収容ポケットＨ５は、運搬用容器Ｃ３の底部１まで、或いは、底部１付近まで延在するように構成されている。
【００５０】
Ｈ６は、幅広突片載置ポケットｐ２’と、該幅広突片載置ポケットｐ２’に隣接して位置する短側壁３との間に形成された幅狭突片収容ポケットであり、幅狭突片収容ポケットＨ６は、運搬用容器Ｃ３の底部１まで、或いは、底部１付近まで延在するように構成されている。
【００５１】
この実施例においては、図１３に示されているように、中仕切り部材Ｎ３の額縁状の長辺部ｎ１ａに突設された幅狭突片ｎ５が、運搬用容器Ｃ３の幅狭突片載置ポケットｐ１’の底面ｐ１ａ’に載置され、また、中仕切り部材Ｎ３の額縁状の長辺部ｎ１ａに突設された幅広突片ｎ４が、運搬用容器Ｃ３の幅広突片載置ポケットｐ２’の底面ｐ２ａ’に載置されることにより、中仕切り部材Ｎ３が、運搬用容器Ｃ３の中程に配設される、即ち、中仕切り部材Ｎ３が配設状態に位置することになる。
【００５２】
また、中仕切り部材Ｎ３の配設状態から、中仕切り部材Ｎ３を上昇させて、中仕切り部材Ｎ３を、運搬用容器Ｃ３から取り出すとともに、中仕切り部材Ｎ３を、平面的に、１８０度回転させて、図１４に示されているように、中仕切り部材Ｎ３の幅広突片ｎ４を、幅広突片収容ポケットＨ５に挿入し、また、中仕切り部材Ｎ３の幅狭突片ｎ５を、幅狭突片収容ポケットＨ６に挿入することにより、中仕切り部材Ｎ３を収容状態に位置することができるように構成されている。
【００５３】
上述したように構成することにより、１つの運搬用容器Ｃ３に、複数の中仕切り部材Ｎ３を収納することができ、従って、中仕切り部材Ｎ３の保管管理が容易となる。
【００５４】
図１５〜図１８に示されている実施例のボックス型の運搬用容器Ｃ４は、相対する長側壁２の内壁に、所定の間隔を置いて、それぞれ、上述した図７に示されている実施例における載置条片Ｈ３、Ｈ４と同様の垂直状の載置条片Ｈ７、Ｈ８を突設したものである。また、中仕切り部材Ｎ４は、区画長辺部ｎ３が、一本少ない以外は、上述した中仕切り部材Ｎ２と略同じであるので、同じ符号が使用されている。
【００５５】
上述した実施例においても、中仕切り部材Ｎ４が配設状態においては、図１７に示されているように、中仕切り部材Ｎ４が、載置条片Ｈ７の上端ｈ７及び載置条片Ｈ８の上端ｈ８に載置されるように構成されている。また、中仕切り部材Ｎ４が収容状態においては、図１８に示されているように、載置条片Ｈ７が、中仕切り部材Ｎ４に形成された載置条片収容切欠き部ｎ６に挿入され、また、載置条片Ｈ８が、中仕切り部材Ｎ４に形成された載置条片収容切欠き部ｎ７に挿入されるように構成されている。
【００５６】
上述したように構成することにより、１つの運搬用容器Ｃ４に、複数の中仕切り部材Ｎ４を収納することができ、従って、中仕切り部材Ｎ４の保管管理が容易となる。
【符号の説明】
【００５７】
Ｃ１〜Ｃ４・・・・・・・・・・・運搬用容器
ｃ１、ｃ２・・・・・・・・・・・支脚
ｐ１、ｐ２・・・・・・・・・・・ポケット
Ｎ１〜Ｎ４・・・・・・・・・・・中仕切り部材
Ｓ１・・・・・・・・・・・・・・幅狭ポケット・幅広支脚部
Ｓ２・・・・・・・・・・・・・・幅狭支脚・幅広ポケット部
１・・・・・・・・・・・・・・・底部
２・・・・・・・・・・・・・・・長側壁
３・・・・・・・・・・・・・・・短側壁
【図１】
0005415304.tif 000002
【図２】
0005415304.tif 000003
【図３】
0005415304.tif 000004
【図４】
0005415304.tif 000005
【図５】
0005415304.tif 000006
【図６】
0005415304.tif 000007
【図７】
0005415304.tif 000008
【図８】
0005415304.tif 000009
【図９】
0005415304.tif 000010
【図１０】
0005415304.tif 000011
【図１１】
0005415304.tif 000012
【図１２】
0005415304.tif 000013
【図１３】
0005415304.tif 000014
【図１４】
0005415304.tif 000015
【図１５】
0005415304.tif 000016
【図１６】
0005415304.tif 000017
【図１７】
0005415304.tif 000018
【図１８】
0005415304.tif 000019